(57)【要約】【課題】蓋部の開操作が容易で、指や爪を負傷するおそれがなく、さらに、手袋をはめていても開操作を容易に行なうことができ、特に、蓋部の差込み片部が強固に正面部の内側に差し込まれていても容易に蓋部を開状態にすることができる包装箱を提供する。【解決手段】包装箱Ａの正面部１０は、長方形状に上方が開口した切欠部を形成した形状を呈する本体部５０と、本体部５０の切欠部内に設けられるとともに、その上端が本体部５０の上端よりも上方に突出した回動片部６０とを有し、回動片部６０がその下端の本体部との境界位置を中心に回動可能となるように両側の本体部５０との境界線に沿ってミシン目６４、６６が形成されている。【選択図】図１
0003142448.tif 000002
【実用新案登録請求の範囲】
【請求項１】
包装箱であって、
略方形状の正面部と、略方形状の右側面部と、略方形状の左側面部と、略方形状の背面部とを有し、包装箱の組立て状態では、該正面部と右側面部と左側面部と背面部とでスリーブ状に形成されたスリーブ状部と、
該スリーブ状部の背面部の上端から連設された蓋部で、スリーブ状部の上方の開口部をカバーする上面部と、上面部の先端から折れ線を介して連設され蓋部を閉状態とした際に正面部の内側に差し込まれる差込み片部とを有する蓋部と、
スリーブ状部の下方の開口部をカバーする底部と、
を有し、
正面部は、上方が開口した切欠部を有する長方形状の本体部と、本体部の切欠部内に設けられるとともに、その上端が本体部の上端よりも上方に突出した回動片部とを有し、回動片部がその下端の本体部との境界位置を中心に回動可能となるように両側の本体部との境界線に沿ってミシン目が形成されていることを特徴とする包装箱。
【請求項２】
包装箱であって、
略方形状の正面部と、略方形状の右側面部と、略方形状の左側面部と、略方形状の背面部とを有し、包装箱の組立て状態では、該正面部と右側面部と左側面部と背面部とでスリーブ状に形成されたスリーブ状部と、
該スリーブ状部の背面部の上端から連設された蓋部で、スリーブ状部の上方の開口部をカバーする上面部と、上面部の先端から折れ線を介して連設され蓋部を閉状態とした際に正面部の内側に差し込まれる差込み片部とを有する蓋部と、
スリーブ状部の下方の開口部をカバーする底部と、
を有し、
正面部は、その上端辺における両側の領域に挟まれた中央領域が該両側の領域よりも高く形成され、該中央領域の両端位置から下方にミシン目が形成され、一対のミシン目と上端辺の中央領域と一対のミシン目の下端を結ぶ境界線に囲まれた領域からなる回動片部が、正面部における回動片部以外の領域である本体部に対して該境界線を中心に回動可能となっていることを特徴とする包装箱。
【請求項３】
正面部における本体部の上端は、右側面部や左側面部の上端よりも下方に位置していることを特徴とする請求項１又は２に記載の包装箱。
【請求項４】
回動片部の下端の本体部との境界線に沿ってミシン目が形成されていることを特徴とする請求項１又は２又は３に記載の包装箱。
【請求項５】
正面部における回動片部形成位置の高さ方向の長さは、右側面部や左側面部の高さ方向の長さと同一に形成されていることを特徴とする請求項１又は２又は３又は４に記載の包装箱。
【請求項６】
回動片部は、台形形状又は方形状であることを特徴とする請求項１又は２又は３又は４又は５に記載の包装箱。
【考案の詳細な説明】
【技術分野】
【０００１】
本考案は、包装箱に関するものであり、特に、開口部を開閉する蓋部を有する包装箱に関するものである。
【背景技術】
【０００２】
従来より、図７、図８に示す包装箱が存在する。この包装箱Ｂは、正面部１１０と、右側面部１１２と、支持フラップ１１３と、左側面部１１４と、支持フラップ１１５と、背面部１１６と、糊代部１１８と、上面部１２０と、差込み片部１２２と、底部（図示せず）とを有している。この包装箱Ｂは、１枚のシート状のブランク（具体的には、段ボール製（例えば、薄型段ボール製）のブランク）により形成されている。
【０００３】
正面部１１０と右側面部１１２と左側面部１１４と背面部１１６は、それぞれが包装箱Ｂの側面を形成し、方形状の板状を呈している。また、糊代部１１８が右側面部１１２の内側に接着されて、正面部１１０と右側面部１１２と左側面部１１４と背面部１１６によりスリーブ状部１０５が形成される。
【０００４】
また、上面部１２０は、背面部１１６の上端から折れ線を介して連設され、方形状を呈している。差込み片部１２２は、上面部１２０の先端から折れ線を介して連設され、スリーブ状部１０５の開口部を上面部１２０により閉じる際に、正面部１１０の内側に差し込まれて、上面部１２０を閉じた状態では図８に示す状態となる。
【０００５】
出願人は、先行技術文献として、特許文献１に示す文献を知得している。
【特許文献１】特開２０００−２３８７５６号公報
【考案の開示】
【考案が解決しようとする課題】
【０００６】
しかし、図７、図８に示す包装箱Ｂにおいては、蓋部としての上面部１２０を開状態にする場合には、差込み片部１２２と正面部１１０の間の隙間に爪や指等を入れて差込み片部１２２の外側を上方に引き出す方法（第１の方法）や、上面部１２０の両側の部分（つまり、支持フラップ１１３、１１５の上方の部分）を指や爪に引っかけて上面部１２０を引き上げる方法（第２の方法）が取られるが、いずれの方法の場合も操作が面倒であり、また、第１の方法の場合に、差込み片部１２２と正面部１１０の間の隙間に爪や指を入れることにより爪や指を負傷するおそれがあり、第２の方法の場合にも、上面部１２０と支持フラップ１１３、１１５の隙間に指や爪を引っかける必要があるので、爪や指を負傷するおそれがある。また、第２の方法の場合には、差込み片部１２２が強固に差し込まれている場合には、上面部１２０が破れてしまうおそれがある。第１の方法、第２の方法いずれの場合も、手に障害がある場合や手の力が弱くなった高齢者の場合や手袋・軍手等をはめている場合には、上記のような細かい操作を行なうのが困難であるという問題がある。
【０００７】
特に、書籍、雑誌、カタログ等の被収納物が包装箱Ｂに飽和状態で収納され、該被収納物が差込み片部１２２を内側から正面部１１０側に押圧した状態になっている場合のように、差込み片部１２２が強固に正面部１１０の内側に差し込まれている場合には、差込み片部１２２と正面部１１０の間の隙間がほとんど形成されないので、差込み片部１２２を容易に引き上げることができない。
【０００８】
そこで、本考案は、蓋部の開操作が容易で、指や爪を負傷するおそれがなく、さらに、手袋をはめていても開操作を容易に行なうことができ、特に、蓋部の差込み片部が強固に正面部の内側に差し込まれていても容易に蓋部を開状態にすることができる包装箱を提供することを目的とするものである。
【課題を解決するための手段】
【０００９】
本考案は上記問題点を解決するために創作されたものであって、第１には、包装箱であって、略方形状の正面部と、略方形状の右側面部と、略方形状の左側面部と、略方形状の背面部とを有し、包装箱の組立て状態では、該正面部と右側面部と左側面部と背面部とでスリーブ状に形成されたスリーブ状部と、該スリーブ状部の背面部の上端から連設された蓋部で、スリーブ状部の上方の開口部をカバーする上面部と、上面部の先端から折れ線を介して連設され蓋部を閉状態とした際に正面部の内側に差し込まれる差込み片部とを有する蓋部と、スリーブ状部の下方の開口部をカバーする底部と、を有し、正面部は、上方が開口した切欠部を有する長方形状の本体部と、本体部の切欠部内に設けられるとともに、その上端が本体部の上端よりも上方に突出した回動片部とを有し、回動片部がその下端の本体部との境界位置を中心に回動可能となるように両側の本体部との境界線に沿ってミシン目が形成されていることを特徴とする。
【００１０】
この第１の構成の包装箱においては、被収納物を収納した状態の包装箱の蓋部を開ける場合には、正面部における回動片部の上端を正面側に引く操作を行なう。この場合、回動片部の上端は、本体部の上端よりも上方に突出しているので、回動片部の位置を確認しやすく、目視により確認しなくても正面部の上端位置を指で触るのみで回動片部の上端位置を確認でき、手袋等をはめていても確認が可能である。特に、正面部の上端位置に沿って指を移動させると、回動片部の上端の両側の角部に接触するので、回動片部の位置を確認しやすい。そして、回動片部の上端を正面側に引く操作を行なうと、ミシン目が破られて、回動片部がその下端の本体部との境界位置を中心に回動して、本体部の切欠部の領域が開口した状態となる。すると、本体部の切欠部に露出した差込み片部の下端位置に指を引っかけて容易に蓋部を上方に引き上げて、蓋部を開けた状態とすることができるので、被収納物を取り出すことができる。
【００１１】
以上のように、容易に蓋部を開状態にすることができ、隙間に指や爪を入れる必要がないので、指や爪を負傷するおそれがなく、また、蓋部の差込み片部が強固に正面部の内側に差し込まれていても、本体部の切欠部に露出した差込み片部の下端を持ち上げて容易に蓋部を開状態にすることができる。
【００１２】
また、第２には、包装箱であって、略方形状の正面部と、略方形状の右側面部と、略方形状の左側面部と、略方形状の背面部とを有し、包装箱の組立て状態では、該正面部と右側面部と左側面部と背面部とでスリーブ状に形成されたスリーブ状部と、該スリーブ状部の背面部の上端から連設された蓋部で、スリーブ状部の上方の開口部をカバーする上面部と、上面部の先端から折れ線を介して連設され蓋部を閉状態とした際に正面部の内側に差し込まれる差込み片部とを有する蓋部と、スリーブ状部の下方の開口部をカバーする底部と、を有し、正面部は、その上端辺における両側の領域に挟まれた中央領域が該両側の領域よりも高く形成され、該中央領域の両端位置から下方にミシン目が形成され、一対のミシン目と上端辺の中央領域と一対のミシン目の下端を結ぶ境界線に囲まれた領域からなる回動片部が、正面部における回動片部以外の領域である本体部に対して該境界線を中心に回動可能となっていることを特徴とする。
【００１３】
この第２の構成の包装箱においては、被収納物を収納した状態の包装箱の蓋部を開ける場合には、正面部における回動片部の上端を正面側に引く操作を行なう。この場合、回動片部の上端は、本体部の上端よりも上方に突出しているので、回動片部の位置を確認しやすく、目視により確認しなくても正面部の上端位置を指で触るのみで回動片部の上端位置を確認でき、手袋等をはめていても確認が可能である。特に、正面部の上端位置に沿って指を移動させると、回動片部の上端の両側の角部に接触するので、回動片部の位置を確認しやすい。そして、回動片部の上端を正面側に引く操作を行なうと、ミシン目が破られて、回動片部がその下端の本体部との境界位置を中心に回動して、本体部の切欠部の領域が開口した状態となる。すると、本体部の切欠部に露出した差込み片部の下端位置に指を引っかけて容易に蓋部を上方に引き上げて、蓋部を開けた状態とすることができるので、被収納物を取り出すことができる。
【００１４】
以上のように、容易に蓋部を開状態にすることができ、隙間に指や爪を入れる必要がないので、指や爪を負傷するおそれがなく、また、蓋部の差込み片部が強固に正面部の内側に差し込まれていても、本体部の切欠部に露出した差込み片部の下端を持ち上げて容易に蓋部を開状態にすることができる。
【００１５】
また、第３には、上記第１又は第２の構成において、正面部における本体部の上端は、右側面部や左側面部の上端よりも下方に位置していることを特徴とする。
【００１６】
また、第４には、上記第１から第３までのいずれかの構成において、回動片部の下端の本体部との境界線に沿ってミシン目が形成されていることを特徴とする。
【００１７】
また、第５には、上記第１から第４までのいずれかの構成において、正面部における回動片部形成位置の高さ方向の長さは、右側面部や左側面部の高さ方向の長さと同一に形成されていることを特徴とする。
【００１８】
また、第６には、上記第１から第５までのいずれかの構成において、回動片部は、台形形状又は方形状であることを特徴とする。
【考案の効果】
【００１９】
本考案に基づく包装箱によれば、容易に蓋部を開状態にすることができ、隙間に指や爪を入れる必要がないので、指や爪を負傷するおそれがなく、また、蓋部の差込み片部が強固に正面部の内側に差し込まれていても、本体部の切欠部に露出した差込み片部の下端を持ち上げて容易に蓋部を開状態にすることができる。
【考案を実施するための最良の形態】
【００２０】
本考案においては、蓋部の開操作が容易で、指や爪を負傷するおそれがなく、さらに、手袋をはめていても開操作を容易に行なうことができ、特に、蓋部の差込み片部が強固に正面部の内側に差し込まれていても容易に蓋部を開状態にすることができる包装箱を提供するという目的を以下のようにして実現した。
【００２１】
本考案に基づく包装箱Ａは、図１〜図４に示すように構成され、正面部１０（第１側面部）と、右側面部１２（第２側面部）と、支持フラップ１３と、左側面部１４（第４側面部）と、支持フラップ１５と、背面部１６（第３側面部）と、糊代部１８と、上面部２０と、差込み片部２２と、底部３０とを有している。この包装箱Ａは、１枚のシート状のブランク（具体的には、段ボール製（例えば、薄型段ボール製）のブランク）により形成されている。
【００２２】
正面部１０は、略方形状の板状を呈し、台形状の切欠部を上側に有した板状の本体部５０と、本体部５０の該切欠部内に設けられ、該切欠部よりも上方に突出した台形形状の板状の回動片部６０とを有し、本体部５０と回動片部６０とは、ミシン目６４、６６、６８を介して接続されている。
【００２３】
すなわち、本体部５０は、長方形状の板状の上側に台形状の切欠部を設けた形状を呈し、上方が開口した切欠部を有する長方形状を呈している。該切欠部は、本体部５０の上辺と平行な直線状の下辺と、本体部５０の上端辺に対して傾斜した一対の直線状の傾斜辺とで囲まれた形状を呈し、該切欠部は、下方にいくほど左右方向の幅が大きくなる形状を呈している。本体部５０の上辺は直線状を呈し、一対の傾斜辺は、対称に形成されている。
【００２４】
また、回動片部６０は、台形形状（具体的には、上辺が下辺よりも短い等脚台形形状）の板状を呈し、該本体部５０の切欠部と略同様の形状を有するが、その上端辺６２は、本体部５０の上端辺よりも突出して形成されている。すなわち、回動片部６０は、直線状の上端辺６２と、一対の直線状の傾斜辺と、上辺と平行な下辺とにより囲まれた形状を呈し、一対の傾斜辺における上端部分は、本体部５０よりも突出した部分の辺部であり、該上端部分よりも下側の部分は、ミシン目６４、６６により形成され、下辺はミシン目６８により形成されている。回動片部６０における本体部５０よりも上方に突出した部分である突出部６０ａは略扁平の台形形状となっている。なお、回動片部６０が形成されている位置の正面部１０の高さ方向の長さＨ（図４参照）は、右側面部１２や左側面部１４や背面部１６の高さ方向の長さと同一に形成されている。
【００２５】
つまり、正面部１０は、回動片部６０の上端部分が突出した形状の板状部に、互いに対称で上方にいくほど内側に傾斜した直線状の一対のミシン目６４、６６を該一対のミシン目６４、６６の上端を突出部６０ａの両側の端部につなげるように形成し、また、一対のミシン目６４、６６の下端位置を結ぶ方向である横方向にミシン目６８を形成することにより形成したものであるといえる。
【００２６】
また、正面部１０の上端辺６２において、回動片部６０の領域が中央領域として、その両側の領域よりも高く形成されているといえる。また、回動片部６０は、一対のミシン目６４、６６と上端辺６２の中央領域と一対のミシン目６４、６６の下端を結ぶ境界線（ミシン目６８に沿った線）に囲まれた領域からなるといえ、本体部５０は、正面部１０における回動片部６０以外の領域であるといえる。
【００２７】
また、右側面部１２は、正面部１０の側辺から折れ線を介して連設され、略方形状の板状を呈している。なお、右側面部１２の正面側の上端の角部には、正面部１０の上端の両側が右側面部１２の上端よりも下位置にあることから、斜めに面取りした構成となっている。また、支持フラップ１３は、略長方形状を呈し、右側面部１２の上端から折れ線を介して連設されている。
【００２８】
また、左側面部１４は、正面部１０の側辺から折れ線を介して連設され、略方形状の板状を呈している。なお、左側面部１４の正面側の上端の角部には、正面部１０の上端の両側が左側面部１４の上端よりも下位置にあることから、斜めに面取りした構成となっている。この左側面部１４は、右側面部１２と対称に形成されている。また、支持フラップ１５は、略長方形状を呈し、左側面部１４の上端から折れ線を介して連設されている。
【００２９】
また、背面部１６は、方形状の板状を呈していて、左右方向には正面部１０と同じ長さを有し、上下方向には、右側面部１２や左側面部１４や正面部１０の回動片部６０が形成された位置の上下方向の長さと同一の長さを有している。
【００３０】
また、糊代部１８は、背面部１６の側辺から折れ線を介して連設され、台形状の板状を呈し、右側面部１２の内側に接着されて、正面部１０と右側面部１２と左側面部１４と背面部１６によりスリーブ状部５が形成される。
【００３１】
また、上面部２０は、背面部１６の上端から折れ線を介して連設され、スリーブ状部５を組み立てた場合の開口部の大きさと略同様の大きさの方形状を呈している。差込み片部２２は、細長長方形状の角部にアールを形成した形状を呈し、上面部２０の先端から折れ線を介して連設され、スリーブ状部５の開口部を上面部２０により閉じる際に、正面部１０の内側に差し込まれる。上面部２０と差込み片部２２とで、蓋部１９が構成される。
【００３２】
また、底部３０は、いわゆるＢ式底組タイプであり、右側面部１２の下辺から折れ線を介して連設された片部３２と、正面部１０の下辺から折れ線を介して連設された片部３４と、左側面部１４の下辺から折れ線を介して連設された片部３６と、背面部１６の下辺から折れ線を介して連設された片部３８とを組み合わせることにより構成される。
【００３３】
なお、包装箱Ａを組み立てた状態では、図１、図２に示す状態となり、回動片部６０の上端位置は、上面部２０の上端位置と略同一であるが、上面部２０が支持フラップ１３、１５に支持されていることから、図１、図２に示すように、回動片部６０の上端位置は、上面部２０の上端位置よりも若干下方位置となる。また、包装箱Ａを組み立てた状態の底部３０は、図３に示す構成となる。
【００３４】
上記構成の包装箱Ａの使用状態について説明する。包装箱Ａの保管状態や運搬状態においては、底部３０を折り畳んだ状態とし、スリーブ状部５も折り畳んだ状態としておく。その際、上面部２０は、背面部１６と面一の状態とし、スリーブ状部５に対して開いた状態としておく。
【００３５】
包装箱Ａに被収納物を収納するには、包装箱Ａを組み立てる。つまり、包装箱Ａのスリーブ状部５を筒状に組み立てる（つまり、四角形状の開口部を有する形状に組み立てる）ことにより底部３０が平板状に組み立てられる。その際、上面部２０は、スリーブ状部５に対して開状態となっているので、スリーブ状部５と底部３０により構成された容器状部分に被収納物を収納する。
【００３６】
次に、上面部２０をスリーブ状部５側に回動させて、差込み片部２２を正面部１０の内側に差し込んで閉状態とする。
【００３７】
その後、被収納物を収納した包装箱Ａを所定の場所に運搬する等して、蓋部１９を開ける場合には、正面部１０における回動片部６０の上端を正面側に引く操作を行なう。この場合、回動片部６０の上端は、本体部５０の上辺よりも上方に突出しているので、回動片部６０の位置を確認しやすく、目視により確認しなくても正面部１０の上端位置を指で触るのみで回動片部６０の上端位置を確認でき、手袋等をはめていても確認が可能である。特に、正面部１０の上端位置に沿って指を移動させると、回動片部６０の上端の両側の角部に接触するので、回動片部６０の位置を確認しやすい。
【００３８】
回動片部６０の上端を正面側に引く操作を行なうと、ミシン目６４、６６が破られて、回動片部６０がミシン目６８の位置を中心に回動して、図５に示すように、本体部５０の切欠部の領域が開口した状態となる。
【００３９】
すると、本体部５０の切欠部に露出した差込み片部２２の下端位置に指を引っかけて容易に蓋部１９を上方に引き上げて、図６に示すように蓋部１９を開けた状態とすることができるので、被収納物を取り出すことができる。
【００４０】
なお、図５、図６には被収納物は示されていないが、実際の使用状態においては、被収納物が収納されていることになる。
【００４１】
以上のように、本実施例の包装箱Ａにおいては、小さな力で容易に蓋部１９を開状態にすることができ、隙間に指や爪を入れる必要がないので、指や爪を負傷するおそれがなく、また、蓋部１９の差込み片部２２が強固に正面部１０の内側に差し込まれていても、本体部５０の切欠部に露出した差込み片部２２の下端を持ち上げて容易に蓋部を開状態にすることができる。よって、手に障害がある場合や手の力が弱くなった高齢者であっても、容易に蓋部１９を開けることができる。
【００４２】
なお、回動片部６０を図６に示す状態にしたら、ミシン目６８を介して回動片部６０を本体部５０から切り離してもよい。また、回動片部６０を単に回動させるのみであれば、ミシン目６８を省略してもよい。
【００４３】
また、上記の説明においては、回動片部６０は上辺が下辺よりも短い等脚台形形状であるとして説明したが、これには限られず、上辺が下辺よりも長い等脚台形形状でもよく、長方形状でもよく、他の形状でもよい。
【００４４】
なお、上記の説明では、スリーブ状部５が包装箱Ａの側面を形成する構成として説明したが、包装箱Ａの使用状態における方向は上記には限られず、例えば、背面部１６を下向きにして正面部１０を上向きにし、蓋部１９を下方に回動させて開ける構成のものでもよい。
【図面の簡単な説明】
【００４５】
【図１】本考案の実施例に基づく包装箱の斜視図である。
【図２】本考案の実施例に基づく包装箱の正面図である。
【図３】本考案の実施例に基づく包装箱の底面図である。
【図４】本考案の実施例に基づく包装箱の展開図である。
【図５】本考案の実施例に基づく包装箱の使用状態を示す斜視図である。
【図６】本考案の実施例に基づく包装箱の使用状態を示す斜視図である。
【図７】従来における包装箱の斜視図である。
【図８】従来における包装箱の斜視図である。
【符号の説明】
【００４６】
Ａ、Ｂ  包装箱
５  スリーブ状部
１０  正面部
１２  右側面部
１３、１５  支持フラップ
１４  左側面部
１６  背面部
１８  糊代部
１９  蓋部
２０  上面部
２２  差込み片部
３０  底部
３２、３４、３６、３８  片部
５０  本体部
６０  回動片部
６４、６６、６８  ミシン目
【図１】
0003142448.tif 000003
【図２】
0003142448.tif 000004
【図３】
0003142448.tif 000005
【図４】
0003142448.tif 000006
【図５】
0003142448.tif 000007
【図６】
0003142448.tif 000008
【図７】
0003142448.tif 000009
【図８】
0003142448.tif 000010